(57)【要約】      （修正有）【課題】第一に常にフェース面全体が目標ラインに対し直角となるようにスウィング出来ようにすること及び第二にゴルファーそれぞれの構え方にあわせて、各自がパターを構えたときに、ゴルファー各自の固有の構えを常に出来るようにすることにある。【解決手段】パターヘッド７の先端部分に矯正板２を取り付けた。そしてこの矯正板を前後に回動可能とした。【選択図】図２
0003104192.tif 000002
【実用新案登録請求の範囲】
【請求項１】
パターヘッドの先端部分に、フェース面に直角になるように、矯正板を取り付けたゴルフパター
【請求項２】
前期矯正板を前後に回動可能にした請求項１記載のゴルフパター
【考案の詳細な説明】
【技術分野】
【０００１】  本考案は正しいスウィングが容易にできるゴルフパターに関するものである。
【技術背景】
【０００２】ゴルフのパティングを行う際には、バックスウィング、インパクト、次にフォロースル（以上３要素をスウィングと称する）を行って、目標とするホールにボールを入れようとするが、この際、重要な点は次の二つである。第一点はスウィングをしている間中、常にフェース面全体を目標とするラインに沿って直角となるように動かすことが出来るかどうかにある。これが出来ればボールは目標ラインに沿って正しく回転して進むことができる。第二点はゴルファーのパッティングの構え方は、各自固有のものだが、どのような構え方をするにせよ、その構え方を常に一定にすることが、上記第一点を実現するために必要な安定した且つスムーズなスウィングをするために重要である。
【０００３】従来のパターでは、パターの中心に直角に交わる目印をつけることにより、目標ラインに正しく振れるよう工夫したものがあるが、この場合線状のため、直線的にしか捕らえることができず、構えたときの静止状態でのみ、方向を正確にすることができるだけであり、スイング中に常にフェース面全体が目標ラインに沿っているかを確認する仕組みがない。また構え方が各自固有の構えに常になっているかどうかを確認する仕組みがない。
またパターヘッドに固定して取り付けられた直線目印により目印がボールを真二つに切ったように見えるように取り付けることで、一定に構えられるようにしたパターがあるが、この場合でも、ゴルファー各自はその体形、癖等により、各自異なった構え方をするため、この方法では、パターに自分の構えをあわせることとなり、自身固有の構え方と違った構えとなるため、スムーズなスイングができない。また構えたときの静止状態で確認できても、バックスウィングのときにボールからヘッドが離れるため、フェース面がスイング中、目標ラインに沿っているか見る仕組みがない。
また後方部分にボール等を数個連ねておいた構造にすることにより、同様の効果を得ようとするパターがあるが、この場合も、構え方を決める仕組みがないし、フェース面がスウィング中、常に目標ラインに沿っているか見極める仕組みがない。
【考案の開示】
【考案が解決しようとする課題】
【０００４】  本考案は従来の考案にみられた上記の欠点を解消して、第一に、常にフェース面全体が目標ラインに沿って直角となるようにスウィング出来るようにすること及び第二にゴルファーそれぞれの構え方にあわせて、各自がパターを構えたとき、ゴルファー各自の固有の構えを常に出来るようにすることにある。以上の二点を可能にすることにより容易に目標ラインに対しフェース面全体が常に直角となるように、且つスムーズに、スウィングすることが出来るようなパターを考案することが本考案の課題である。
【課題を解決するための手段】
【０００５】本考案のゴルフパターにおいては、前記課題を解決するために、
▲１▼  パターヘッドの先端部分に矯正板を取り付けた。
▲２▼  前記矯正板を前後に回動可能とした。
このような構成となっているので、第一に、ヘッドのフェース面はスウィング中は見えないが、矯正板は常にパターヘッドのフェース面と直角に交差しているので、矯正板の面が、目標方向に向いているかどうかを確認すれば、結果としてフェース面が目標方向に正対しているかどうかを確認できる。第二に、ゴルファー各自が、自分のやり方で構えたときに、矯正板が一直線に見えるようにする。之により矯正板と目を結ぶ目線図３の９とグリップ図３の１０の間の間隔図３の１１を、  たとえ足元図３の１２からパターヘッド図３の５の距離が変化しても、常に一定にすることが出来る。この結果スウィングの安定に欠かせない目とグリップとパターヘッドの位置関係を一定にすることが出来る。言い換えると目とグリップとパターヘッドの３点を結ぶ三角形は、目の位置あるいはパターヘッドと足元との距離に関係なく相似形となる。もし矯正板の裏側あるいは表側の面が見える場合は、一直線に見えるように調整固定する。之によりいったん一直線に見えるように調整、固定しておけば、スウィングの際、矯正板が一直線に見えるように構えれば、目とグリップとパターヘッドの位置関係は一定となり、目線とグリップの間隔を常に一定に保持できるため、矯正板が一直線に見えるようにスウィングすれば、フェース面が常に目標ラインに沿って直角となるようにスウィングしていることを容易に実践することが出来る。
以上の二点によりフェース面全体を目標方向に常に直角となるようにしながらスムーズなスウィングが出来る。
【考案の効果】
【０００６】本考案は、図１及び図２が示すように、矯正板をパターヘッドの先端部分に設け且つその矯正板をネジ等により回動可能にしたことに特徴があり、ゴルファーはその体形や身長や手の長さ、構え方により、それぞれ固有のスタイルを有するが、矯正板を回動可能にすることにより、いかなるゴルファーにも対応することができる。【０００７】またゴルファーが自分の固有の構え方をしたときに、矯正板が一直線に見えるように調整して固定すれば、実際のスウィングの際、自分の固有の構えをしたとき、シャフトと目線の位置関係、言い換えると、目線とグリップの間隔が常に一定となるため、矯正板がスウィング中、常に一直線にみえるようにスウィングすることが容易となる。この結果として、フェース面全体が目標ラインに直角となるように目標ラインに沿ってスウィングすることができる。【０００８】したがって本考案は最初にゴルファーの固有のスタイルに合わせて、矯正板が一直線になるように調整しておけば、スウィングの際、矯正板が一直線に見えるように構えることにより、常に一定に構えることが容易にできるだけでなく、スウィング中、常に矯正板が一直線に見えているように振ることにより、フェース面全体が常に目標ラインに直角となるように動いていることが確認できるため、ボールは目標ラインに沿って、正しく回転してゆくこととなる。  このため従来のゴルフパターにはない大きな効果が得られる。
【考案を実施するための最良の形態】
【０００９】パターヘッドのフェース面全体が常に目標ラインに沿って、目標ラインから外れることなく、正確に且つスムーズにスウィングするという目的を最小の部品点数で、パター本来の構成を損なわずに実現した。
【実施例】
【００１０】図１はパターヘッドの平面図である。図において、１は、パターヘッドの打球面である。２は矯正板である。３は矯正板を回動可能かつ固定させるための調整ネジである。４は矯正板とパターヘッドを連結する支柱である。５はパターヘッドである。６はシャフトである。【００１１】図２はパターヘッドの側面図で、右打ちのゴルファーがパターを構えたとき、パターを後方から見た図である。図において、７はパターヘッドの裏面である。【００１２】図３はパターを構えたときのイメージ図である。図において、８はゴルファーの目である。９は構えたときに、目で矯正板を見たときに矯正板が一直線になるようにしたときの目線である。１０はグリップである。１１はグリップ１０と目線９が直角となるときの目線９とグリップ１０との間隔である。１２は足元である。【００１３】本実施例のゴルフパターは、次の要領で作成する。
（イ）  一枚の合金板を長方形に切り抜き、その板にパターの裏側先端部に取り付けるための支柱、図１の４を接着させる。
（ロ）  支柱がパター本体先端部の裏側にネジ止めできるように、支柱及びパターヘッドにネジ穴を設け、調整ネジ図１の３で止める。
（ハ）  図３のようにゴルファーが構えたときに、矯正板に目線をむけた時に矯正板が一直線に見えるように、ネジを緩めて、矯正板を前後させて調整したうえでネジを締めて固定する。【００１４】本考案は以上の構造であるから、本考案のパターを使用すると、いついかなる場合でも、パッティングの際に、常に一定の構えを取りながら、常にフェース面全体が目標方向に直角となるようにスウィングすることが容易にできる。
【図面の簡単な説明】
【００１５】
【図１】  実施例のゴルフパターの平面図である。
【図２】  実施例のゴルフパターの側面図である。
【図３】  実施例のゴルフパターの使用状況を示す側面図である。
【符号の説明】
【００１６】  １  パターヘッドの打球面
２  矯正板
３  調整ネジ
４  支柱
５  パターヘッド
６  シャフト
７  パターヘッドの裏面
８  目
９  目線
１０  グリップ
１１  グリップと目線との間隔
１２  足元
【図１】
0003104192.tif 000003
【図２】
0003104192.tif 000004
【図３】
0003104192.tif 000005